(57)【要約】【課題】従来の旅客操作形自動機端末装置では性質上、顧客が立った状態で操作する為、装置の背丈が高く、重心も高い傾向にあった。装置を移動および保管時は装置の転倒を防止する為、装置の下部に転倒防止用の補助金具または補助輪をその都度取付ける必要があり、その脱着作業が煩わしく、部材の保管管理が必要となる問題もある。本発明では、装置底面に転倒防止機構を固定装備することにより、移動時用に容易に転倒防止機構を回転させて引出しができる旅客操作形自動機端末装置の転倒防止機構を提供する。【解決手段】転倒防止機構を旅客操作形自動機端末装置の底面に装備し、未使用時は邪魔にならないよう装置下に収納して装置の移動ロック機構を兼ね備える。装置移動時は容易に引出し、装置の移動ロック機構を解除し、転倒防止機構を固定することで安定した移動を実現する。【選択図】図２
2007314049.tif 000002
【特許請求の範囲】
【請求項１】
装置本体の下端に移動用キャスターを備え、移動時用に転倒防止の補助金具を必要とする旅客操作形自動機端末装置において、該装置の下部に常に転倒防止用機構を備え、必要時には引出して使用できる構造を持ち、さら収納時／引出し時には固定ラッチの働きにより、転倒防止機構の回転を防ぐ機能を特徴とする旅客操作形自動機端末装置の転倒防止機構。
【請求項２】
請求項１において、転倒防止機構を収納された状態では、むやみに装置が移動をされないよう、装置のロック機構が働くことを特徴とする旅客操作形自動機端末装置の転倒防止機構。
【発明の詳細な説明】
【技術分野】
【０００１】
本発明は、キャスターにより容易に移動が可能であるが、重心が高く揺れや外圧により倒れる恐れのある旅客操作形自動機端末装置の転倒を防止する転倒防止機構に関するものである。
【背景技術】
【０００２】
現状の旅客操作形自動機端末装置において、性質上、顧客が立った状態で操作する為、装置の背丈が高く、高密度な重量のある機械類が実装されているにもかかわらず、車椅子での利用を考慮して装置下半部分を切込んだ形状とせざるを得ず、安定性が低下していた。それを補うため、移動/保管時は、転倒防止金具として別パーツをその都度取付け、また取外しをしており、煩わしい操作が必要であった。
【０００３】
別パーツの器具を取付けることをせず装置内に転倒防止用機構を装備して、スライド方式で転倒防止用機構を引出す方式のものもあるが、その該機構の形状が大きくなる、また高密度実装された装置にはその収納スペースはなくコスト高にもなってしまう傾向になり不向きである。また、その機構の収納時と引出し使用時における転倒防止用機構を固定する考慮がないため移動時には不安定である。
【０００４】
【特許文献１】特開２０００−３７９２５号公報
【発明の開示】
【発明が解決しようとする課題】
【０００５】
従来技術は、旅客操作形自動機端末装置を移動させようとした時、別の場所に保管しておいた別パーツの転倒防止金具を準備し、またドライバ−／レンチといった冶工具を合わせて準備が必要で手間がかかる。装置下部へ低い態勢での取付けを余儀なくされ非常に煩わしい作業となっていた。またその床に密着するような低姿勢での取付け／取外し作業になるため腰を痛めたり、ドライバ−／レンチ等冶具を扱う時に床と近接しているため床面に手をこすり怪我をする危険もあった。本発明では、別パーツの転倒防止金具およびドライバ−／レンチ等の冶工具を準備する必要もなく、旅客操作形自動機端末装置の底面下部に収納された転倒防止機構を短時間に安全かつ容易に引出しが可能であり利便性が向上する。
【課題を解決するための手段】
【０００６】
この転倒防止機構は使用時は旅客操作形自動機端末装置を移動させる為、装置自身のロックを解除して使用するが、転倒防止機構を収納することで、装置のロックが自動的に働く機能を備える、また同時に、転倒防止機構に具備された固定ラッチ機構が使用時／収納時、兼用に固定する働きを持ち安全性を実現する。
【発明の効果】
【０００７】
転倒防止機構を回転方式で旅客操作形自動機端末装置の下部に収納し容易に引出す構造とすることにより、その都度別パーツの転倒防止金具を取付ける手間が省け、転倒防止部材の保管管理も不要となり、装置移動時の利便性を向上する。
【０００８】
また、転倒防止機構を収納時にはロック機構が働くことよりストッパーが下がり装置が動かないよう固定する機能を有する。
【発明を実施するための最良の形態】
【０００９】
以下、本発明の実施の形態を詳細に説明する。
【００１０】
本発明の実施例について図面を参照しながら説明する。なお、各図面に共通な要素には同一符号を示す。
【００１１】
図１は、本発明で機能を有する旅客操作形自動機端末装置を前面からみたところである。
【００１２】
一般的な旅客操作形自動機端末装置の操作方法について以下簡単に説明する。
【００１３】
装置の上方に顧客が立ったまま、指タッチで操作を行えるタッチパネルと液晶画面を備えた操作部１があり、操作部１に表示されるガイダンスに従い操作を実施し、顧客が希望する切符を選択する。選択された切符の料金表示も操作部１に表示し現金またはカードによるクレジット購入を選択した後、カード購入の場合は、カード出入り口２へカードを挿入する。また現金購入する場合は金額に応じ、硬貨投入口４および紙幣投入口５にそれぞれ現金を投入する。取引完了後はお釣りが、紙幣放出口６、硬貨放出口６ａに排出され、購入した切符は、発券口３より発券される。
【００１４】
旅客操作形自動機端末装置の下部にあるのがアジャスター７、キャスター８であり、通常の簡易移動には、このキャスター８により、旅客操作形自動機端末装置を押して移動が可能で、旅客操作形自動機端末装置を固定設置する場合は、アジャスタ−７を下方にネジを回しながら下げて床面に接着させ装置の固定および平行度を図る。
【００１５】
図２は旅客操作形自動機端末装置を側面からみたところである。ここで本発明での機能である転倒防止機構９、装置のロック機構１０を装置の後方下部に具備している。旅客操作形自動機端末装置の移動時は、転倒防止機構９を旅客操作形自動機端末装置の後方に引出して使用することにより安定化でき、旅客操作形自動機端末装置が不用意な外圧で倒れるのを防止することができる。
【００１６】
図３は、転倒防止機構９を収納した状態の図である。旅客操作形自動機端末装置下部底面に収納されて邪魔にならず場所もとらない構造であり、また図４に示すように、旅客操作形自動機端末装置を移動する時は転倒防止機構９を後方外側へ左右９０度回転させて引出し、転倒防止機構９に具備した補助キャスター８ａにより、旅客操作形自動機端末装置を安定させて移動することができ、安全性の向上が図れる。
【００１７】
図５は転倒防止機構９の引出し時および収納時における固定方法について記した図である。引出して使用時は、転倒防止機構９を後方に真っ直ぐ伸ばした時点で固定ツメ１１ａにより旅客操作形自動機端末装置背面下部に引っ掛かかり固定されることで転倒防止機構９が回転するのを防止する。また、固定解除レバー１１ｂを下側に押すと固定ツメ１１ａが下がり、転倒防止機構９の固定を解除する。次に転倒防止機構９を収納する為、旅客操作形自動機端末装置下部に押込む際にも、旅客操作形自動機端末装置内底面に、固定ツメ１１ａが引っ掛かる開口部を設けることにより、転倒防止機構９の収納時における固定をするこができ、引出し時は、前述同様、固定解除レバー１１ｂを押し下げることにより、固定が解除され転倒防止機構９を装置後方へ引出しが可能になる。
【００１８】
図６は、転倒防止機構９を収納時、転倒防止機構を使用しない状況で旅客操作形自動機端末装置をむやみに動いたり、動かされないよう装置のロック機構１０を記した図である、転倒防止機構９を回転させて装置下部へ転倒防止機構９移動させた時、転倒防止機構回転中心軸１３の近傍に設けた突起部１２がロック機構１０のボタン１４を押し込み、ロック機構１０が作動し旅客操作形自動機端末装置が動くのを防止し、転倒防止機構９を引出せば、ボタン１４が戻り、ロック機構１０は解除される。
【００１９】
図７は、旅客操作形自動機端末装置が動くのを防止するロック機構１０の内部機構について記した図である。図６で説明した転倒防止機構９の突起部１２がボタン１４を押すことにより、テーパー形状の部位が横にスライドをする。スライドすることにより、逆さの同様なテーパー形状を具備したストッパーシャフト１６に力が伝達し、ストッパーシャフト１６が下方向に下がる方向に移動する。下に下がったストッパー部１７が床面に着座することで抵抗力が発生し、旅客操作形自動機端末装置が動くのを防止する。
【００２０】
ボタン１４が押される行為が解除されれば、ストッパーシャフト１６は押しバネ１５により、上方向に押され、ボタン１４が外側へスライドして戻る。尚、ストッパー部１７の上に具備された高さ調整ネジ１８により、ストッパー部１７の上下位置を変更して設置抵抗力を調整可能する。
【産業上の利用可能性】
【００２１】
装置自身のキャスターで移動が可能な装置において、移動および一時的な自立保管をする時、揺れや外部からの衝撃により倒れるのを防止する場合に利用することができる。また、装置下部に工具を必要とせず収納および引出しが可能な為、利便性にもすぐれた機能を持つ。
【図面の簡単な説明】
【００２２】
【図１】旅客操作形自動機端末装置を前面から見た図。
【図２】旅客操作形自動機端末装置を側面から見た図。
【図３】装置下部、転倒防止機構を収納している状態図。
【図４】装置下部、転倒防止機構を引出している状態図。
【図５】転倒防止機構の引出し時と収納時のラッチ状態図。
【図６】ロック機構を上から見た図。
【図７】ロック機構断面図。
【符号の説明】
【００２３】
１…操作部、２…カード出入り口、３…発券口、４…硬貨投入口、５…紙幣投入口、６…紙幣放出口、６ａ…硬貨放出口、７…アジャスター、８…キャスター、８ａ…補助キャスター、９…転倒防止機構、１０…ロック機構、１１…転倒防止機構固定ラッチ、１１ａ…固定ツメ、１１ｂ…固定解除レバー、１２…突起部、１３…転倒防止機構の回転中心軸、１４…ボタン、１５…押しバネ、１６…ストッパーシャフト、１７…ストッパー部、１８…高さ調整ネジ。
【図１】
2007314049.tif 000003
【図２】
2007314049.tif 000004
【図３】
2007314049.tif 000005
【図４】
2007314049.tif 000006
【図５】
2007314049.tif 000007
【図６】
2007314049.tif 000008
【図７】
2007314049.tif 000009